(57)【要約】【課題】スイッチボックスの前面に対しねじ締めなしで固定できるようにすると共に、スイッチツマミがぐらつかないようにして操作フィーリングを向上させるようにしたスイッチ操作部パネルの固定構造を提供する。【解決手段】スイッチボックス４の前面にスイッチ操作部パネル６を位置決めする雄雌の位置決め部４ａ、６ｃを設けると共に、スイッチツマミ５のフランジ５ｃまたは前記スイッチ操作部パネル６に、同スイッチ操作部パネル６が前記スイッチボックス４の前面から離脱しないように押圧する押圧手段を設けて、前記スイッチ操作部パネル６をねじ締めなしで固定できるようにした。【選択図】  図２
2004178954.tif 000002
【特許請求の範囲】
【請求項１】
回転式のスイッチ本体と、同スイッチ本体の前部に突出した平坦部を有するスイッチシャフトと、同スイッチシャフトを挿通する挿通孔を備え、前記スイッチ本体を内蔵したスイッチボックスと、前記平坦部に対応する平坦面を備え、前記スイッチシャフトに嵌合するボス部と、同ボス部前端の外側に連続形成されたフランジと、同フランジの前部に突設されたツマミ部とからなるスイッチツマミと、前記ボス部を通す透孔を備え、前記スイッチボックスの前面に設けられたスイッチ操作部パネルとで構成され、
前記スイッチボックスの前面に前記スイッチ操作部パネルを位置決めする位置決め部を設けると共に、前記フランジまたは前記スイッチ操作部パネルに、同スイッチ操作部パネルが前記スイッチボックスの前面から離脱しないように押圧する押圧手段を設けてなることを特徴とするスイッチ操作部パネルの固定構造。
【請求項２】
前記押圧手段が、前記透孔の周縁部に連続形成され、前記フランジの裏面に対向するパネルフランジからなり、前記スイッチシャフトに前記ボス部を嵌合することにより、前記フランジの裏面で前記パネルフランジの前端部を押圧して前記スイッチ操作部パネルを固定するようにしてなることを特徴とする請求項１に記載のスイッチ操作部パネルの固定構造。
【請求項３】
前記押圧手段が、前記フランジの外周端に連続形成され、前記スイッチ操作部パネルに対向する補助フランジからなり、前記スイッチシャフトに前記ボス部を嵌合することにより、前記補助フランジの先端部で前記スイッチ操作部パネルを押圧して同スイッチ操作部パネルを固定するようにしてなることを特徴とする請求項１に記載のスイッチ操作部パネルの固定構造。
【請求項４】
前記位置決め部が、前記スイッチボックスの前面に突設された複数の突部と、同突部に対応して前記スイッチ操作部パネルに設けられた係合孔とで構成され、前記突部を前記係合孔に係合して前記スイッチ操作部パネルを位置決めするようにしてなることを特徴とする請求項１に記載のスイッチ操作部パネルの固定構造。
【請求項５】
前記位置決め部が、前記スイッチボックスの前面両側下部に設けられた一対の係止孔と、同係止孔に対応して前記スイッチ操作部パネルに設けられた係止爪と、前記スイッチボックスの前面両側上部に突設された一対の突部と、同突部に対応して前記スイッチ操作部パネルに設けられた係合孔とで構成され、前記係止爪を前記係止孔に係止すると共に、前記突部を前記係合孔に係合して前記スイッチ操作部パネルを位置決めするようにしてなることを特徴とする請求項１に記載のスイッチ操作部パネルの固定構造。
【請求項６】
前記スイッチ操作部パネルがアルミニウム板からなり、前記パネルフランジの前端部に前記フランジの裏面を押圧する折返しを折曲形成してなることを特徴とする請求項１に記載のスイッチ操作部パネルの固定構造。
【請求項７】
前記スイッチ操作部パネルが合成樹脂製でなり、前記パネルフランジの前端縁を断面円弧状に形成してなることを特徴とする請求項１に記載のスイッチ操作部パネルの固定構造。
【発明の詳細な説明】
【０００１】
【発明の属する技術分野】
本発明は、スイッチ操作部パネルの固定構造に係わり、より詳細には、スイッチボックスの前面に対しねじ締めなしで固定できるようにすると共に、スイッチツマミがぐらつかないようにして操作フィーリングを向上させるようにした構造に関する。
【０００２】
【従来の技術】
スイッチ操作部にツマミを取り付ける時の従来のツマミ取付構造には、ボリューム軸のぐらつきによる軸回転用ツマミの操作フィーリングを向上させるため、軸回動用ツマミの取付構造において、ツマミの外周部内壁に当接して、外周部を外側に押圧するバネを設けてなるものがあった（例えば、特許文献１参照。）。
【０００３】
これにより、ボリューム軸のぐらつきによるツマミ回動時のぐらつきを緩和することができてツマミの操作フィーリングが向上し、また、ツマミの回転抵抗を増やすことができるので、そのクリック感によりツマミの操作範囲の始点、終点やツマミの操作量が分かりやすくなり、また操作時のフィーリングも向上できる効果を奏していた。
【０００４】
しかしながら、上記構成でなるツマミ取付構造においては、ボリューム軸のぐらつきによるツマミ回動時のぐらつきを緩和する際、パネルの前面に、ツマミの外周部内壁に当接して、外周部を外側に押圧するためのバネを設ける必要があるので部品点数が増加してしまうという欠点があった。
【０００５】
また、例えば図４および図５で示すように、スイッチボックス４の前面にスイッチ操作部パネル６がねじ７によってねじ締め固定され、同スイッチ操作部パネル６の透孔６ａにスイッチ本体１の前部に突出させた平坦部２ａを有するスイッチシャフト２を通し、同スイッチシャフト２に前記平坦部２ａに対応する平面部５ａを有するボス部５ｂを備えると共に、同ボス部５ｂに連続形成されたフランジ５ｃおよびツマミ部５ｅを備えたスイッチツマミ５を嵌着したような場合、同スイッチツマミ５にぐらつきが生じて操作フィーリングが良好でなかったり、前記ねじ７をねじ締めするためのドライバにより誤って前記スイッチ操作部パネル６の表面を傷つけてしまうおそれがあった。
【０００６】
そのため、前記スイッチ操作部パネル６をドライバによってねじ締め固定する必要があり、また、前記ボス部５ｂを前記スイッチシャフト２に嵌合させただけでは、前記スイッチツマミ５をぐらつきなく支持するには強度が不充分であることから、前記スイッチ操作部パネル６を前記ねじ７を使うことなく固定できるようにすると共に、前記スイッチツマミ５をぐらつきなく支持できるようにしたスイッチ操作部パネルの固定構造の出現が望まれていた。
【０００７】
【特許文献１】
特開平１１−２３３３１１号公報（第１頁、第５頁、第１図）
【０００８】
【発明が解決しようとする課題】
本発明においては、上記の問題点に鑑み、スイッチボックスの前面に対しねじ締めなしで固定できるようにすると共に、スイッチツマミがぐらつかないようにして操作フィーリングを向上させるようにしたスイッチ操作部パネルの固定構造を提供することを目的とする。
【０００９】
【課題を解決するための手段】
本発明は、上記課題を解決するため、回転式のスイッチ本体と、同スイッチ本体の前部に突出した平坦部を有するスイッチシャフトと、同スイッチシャフトを挿通する挿通孔を備え、前記スイッチ本体を内蔵したスイッチボックスと、前記平坦部に対応する平坦面を備え、前記スイッチシャフトに嵌合するボス部と、同ボス部前端の外側に連続形成されたフランジと、同フランジの前部に突設されたツマミ部とからなるスイッチツマミと、前記ボス部を通す透孔を備え、前記スイッチボックスの前面に設けられたスイッチ操作部パネルとで構成され、
前記スイッチボックスの前面に前記スイッチ操作部パネルを位置決めする位置決め部を設けると共に、前記フランジまたは前記スイッチ操作部パネルに、同スイッチ操作部パネルが前記スイッチボックスの前面から離脱しないように押圧する押圧手段を設けてなる構成となっている。
【００１０】
また、前記押圧手段が、前記透孔の周縁部に連続形成され、前記フランジの裏面に対向するパネルフランジからなり、前記スイッチシャフトに前記ボス部を嵌合することにより、前記フランジの裏面で前記パネルフランジの前端部を押圧して前記スイッチ操作部パネルを固定するようにしてなる構成となっている。
【００１１】
また、前記押圧手段が、前記フランジの外周端に連続形成され、前記スイッチ操作部パネルに対向する補助フランジからなり、前記スイッチシャフトに前記ボス部を嵌合することにより、前記補助フランジの先端部で前記スイッチ操作部パネルを押圧して同スイッチ操作部パネルを固定するようにしてなる構成となっている。
【００１２】
また、前記位置決め部が、前記スイッチボックスの前面に突設された複数の突部と、同突部に対応して前記スイッチ操作部パネルに設けられた係合孔とで構成され、前記突部を前記係合孔に係合して前記スイッチ操作部パネルを位置決めするようにしてなる構成となっている。
【００１３】
また、前記位置決め部が、前記スイッチボックスの前面両側下部に設けられた一対の係止孔と、同係止孔に対応して前記スイッチ操作部パネルに設けられた係止爪と、前記スイッチボックスの前面両側上部に突設された一対の突部と、同突部に対応して前記スイッチ操作部パネルに設けられた係合孔とで構成され、前記係止爪を前記係止孔に係止すると共に、前記突部を前記係合孔に係合して前記スイッチ操作部パネルを位置決めするようにしてなる構成となっている。
【００１４】
また、前記スイッチ操作部パネルがアルミニウム板からなり、前記パネルフランジの前端部に前記フランジの裏面を押圧する折返しを折曲形成してなる構成となっている。
【００１５】
更に、前記スイッチ操作部パネルが合成樹脂製でなり、前記パネルフランジの前端縁を断面円弧状に形成してなる構成となっている。
【００１６】
【発明の実施の形態】
以下、本発明の実施の形態を図面に基づいた実施例として詳細に説明する。
図１は本発明によるスイッチ操作部パネルの固定構造を示す分解斜視図であり、図２は本発明によるスイッチ操作部パネルの固定構造の第一の実施例を示す説明図で、（Ａ）は断面図、（Ｂ）は第一の実施例の一例を示す要部断面図、（Ｃ）は第一の実施例の他の例を示す要部断面図であり、図３は本発明によるスイッチ操作部パネルの固定構造の第二および第三の実施例を示す説明図で、（Ａ）は第二の実施例を示す断面図、（Ｂ）は第三の実施例を示す断面図である。
【００１７】
本発明によるスイッチ操作部パネルの固定構造は、図で示すように、回転式のスイッチ本体１を内蔵したスイッチボックス４と、前記スイッチ本体１の前部に突出したスイッチシャフト２の嵌着するスイッチツマミ５と、同スイッチツマミ５の後部であって前記スイッチボックス４の前面に設けられるスイッチ操作部パネル６とからなる構成になっている。
【００１８】
前記スイッチボックス４は、前記スイッチ本体１の内蔵すると共に、前面に前記スイッチシャフト２を挿通する挿通孔３を備えている。
【００１９】
前記スイッチ操作部パネル６は、前記スイッチシャフト２に対応して、前記挿通孔３に連通する透孔６ａを備えている。
【００２０】
前記スイッチシャフト２は、回転式の前記スイッチ本体１を操作できるように平坦部２ａを備える一方、前記スイッチツマミ５のボス部５ｂには、前記平坦部２ａに対応する平面部５ａを備えているので、前記スイッチシャフト２に前記ボス部５ｂを嵌合し、前記平坦部２ａに前記平面部５ａを接合させることによって前記スイッチ本体１を操作できるようになっている。
【００２１】
その際、前記スイッチシャフト２から前記スイッチツマミ５のボス部５ｂが簡単に抜け落ちてしまうということがないように、前記スイッチシャフト２に対し前記ボス部５ｂをガタつきなく嵌合できる寸法で形成しておく。
【００２２】
また、前記スイッチツマミ５は、前記ボス部５ｂの前端の外側に連続形成されたフランジ５ｃを備えると共に、同フランジ５ｃの前部に突設されたツマミ部５ｅを備えた構成になっている。
【００２３】
次に、前記スイッチボックス４の前面に前記スイッチ操作部パネル６を位置決めするための位置決め部について説明する。
【００２４】
前記位置決め部は、第一の実施例として図２（Ａ）で示すように、前記スイッチボックス４の前面に突設された複数の突部４ａと、同突部４ａに対応して前記スイッチ操作部パネル６に設けられた係合孔６ｃとで構成され、前記突部４ａを前記係合孔６ｃに係脱可能に係合して前記スイッチ操作部パネル６を位置決めするようになっている。
【００２５】
なお、前記複数の突部４ａは、前記スイッチボックス４の前面四隅に突設されると共に、その先端部が半球面状に形成されることによって、これに対応して前記スイッチ操作部パネル６の四隅に設けられた前記係合孔６ｃに円滑に係合できるようになり、また、前記スイッチ操作部パネル６を正確に位置決めできるようになっている。
【００２６】
または、前記位置決め部は、第二の実施例として図１および図３（Ａ）で示すように、前記スイッチボックス４の前面両側下部に設けられた一対の係止孔４ｂと、同係止孔４ｂに対応して前記スイッチ操作部パネル６に設けられた係止爪６ｄと、前記スイッチボックス４の前面両側上部に突設された一対の突部４ａと、同突部４ａに対応して前記スイッチ操作部パネル６に設けられた係合孔６ｃとで構成され、前記係止爪６ｄを前記係止孔４ｂに係脱可能に係止すると共に、前記突部４ａを前記係合孔６ｃに係脱可能に係合して前記スイッチ操作部パネル６を位置決めするようになっている。
【００２７】
この場合、前記係止孔４ｂが矩形状に形成される一方、前記係止爪６ｄがＬ字状に形成されることにより、前記スイッチ操作部パネル６が、位置決め作業の途中で不意に落下してしまわないように係止できるという効果を奏するようになっている。
【００２８】
なお、上記第二の実施例による前記位置決め部は、前記係止孔４ｂおよび前記係止爪６ｄとを上部に配置し、前記突部４ａおよび前記係合孔６ｃとを下部に配置するように入れ替えてもよいし、また、上下とも前記係止孔４ｂおよび前記係止爪６ｄからなる構成にしてもよい。
【００２９】
ここで、前記スイッチボックス４の前面に位置決めされた前記スイッチ操作部パネル６が、例えばねじ締めのような固定手段によることなく、前記スイッチシャフト２に前記スイッチツマミ５を嵌着することにより、前記スイッチ操作部パネル６が前記スイッチボックス４の前面から離脱しないように押圧する押圧手段について説明する。
【００３０】
前記スイッチ操作部パネル６は、上記に説明した位置決め部により前記スイッチボックス４の前面に位置決めされると共に、前記押圧手段によって前記スイッチボックス４の前面に押圧することによりねじ締めなしで固定されるようになっている。
【００３１】
前記押圧手段が、第一の実施例として図２（Ａ）乃至図２（Ｃ）で示すように、前記透孔６ａの周縁部に連続形成され、前記フランジ５ｃの裏面に対向するパネルフランジ６ｂからなり、前記スイッチシャフト２に前記ボス部５ｂを嵌合することにより、前記フランジ５ｃの裏面で前記パネルフランジ６ｂの前端部を押圧して前記スイッチ操作部パネル６を固定するようにした構成となっている。
【００３２】
これにより、前記スイッチシャフト２に前記スイッチツマミ５を嵌着することにより、上記位置決め部によって位置決めされた前記スイッチ操作部パネル６を固定できるようになると共に、前記スイッチシャフト２によって支持された前記スイッチツマミ５は、前記フランジ５ｃの裏面が前記パネルフランジ６ｂの前端部でも支持されることになるので、ぐらつきが生じなくなって操作フィーリングが向上する。
【００３３】
なお、前記スイッチ操作部パネル６がアルミニウム板からなる場合には、図２（Ａ）および図２（Ｂ）で示すように、前記パネルフランジ６ｂの前端部に前記フランジ５ｃの裏面を押圧する折返し６ｅを折曲形成することにより、前記フランジ５ｃの裏面に対して前記折返し６ｅが線接触をする構成となり、該個所における摩擦係数を減少させて操作フィーリングを損ねることがない。
【００３４】
その際、前記フランジ５ｃの外周端には、前記スイッチ操作部パネル６に対向する補助フランジ５ｄが連続形成されているので、同補助フランジ５ｄにより前記折返し６ｅを覆うことができて外観性を損ねることがない。
【００３５】
同様に、前記スイッチ操作部パネル６が合成樹脂製でなる場合にも、図２（Ｃ）で示すように、前記パネルフランジ６ｂの前端縁を断面円弧状に形成することにより、前記フランジ５ｃの裏面に対して前記断面円弧状の前端縁が線接触をする構成となり、該個所における摩擦係数を減少させて操作フィーリングを損ねることがない。
【００３６】
または、前記押圧手段が、第三の実施例として図３（Ｂ）で示すように、前記フランジ５ｃの外周端に連続形成され、前記スイッチ操作部パネル６に対向する前記補助フランジ５ｄからなり、前記スイッチシャフト２に前記ボス部５ｂを嵌合することにより、前記補助フランジ５ｄの先端部で前記スイッチ操作部パネル６を押圧して前記スイッチ操作部パネル６を固定するように構成してもよい。
【００３７】
以上の構成により、前記スイッチ本体１を内蔵した前記スイッチボックス４の前面に、前記スイッチ操作部パネル６を前記位置決め部により位置決めしながら係脱可能に係止または係合し、前記スイッチシャフト２に前記スイッチツマミ５のボス部５ｂを嵌合することにより、上記説明のとおり前記スイッチ操作部パネル６を押圧することによって固定すればよい。
【００３８】
【発明の効果】
以上説明したように、本発明によれば、スイッチボックスの前面に対しねじ締めなしで固定できるようにすると共に、スイッチツマミがぐらつかないようにして操作フィーリングを向上させるようにしたスイッチ操作部パネルの固定構造となる。
【図面の簡単な説明】
【図１】本発明によるスイッチ操作部パネルの固定構造を示す分解斜視図である。
【図２】本発明によるスイッチ操作部パネルの固定構造の第一の実施例を示す説明図で、（Ａ）は断面図であり、（Ｂ）は第一の実施例の一例を示す要部断面図であり、（Ｃ）は第一の実施例の他の例を示す要部断面図である。
【図３】本発明によるスイッチ操作部パネルの固定構造の第二および第三の実施例を示す説明図で、（Ａ）は第二の実施例を示す断面図であり、（Ｂ）は第三の実施例を示す断面図である。
【図４】従来例によるスイッチ操作部パネルの固定構造を示す分解斜視図である。
【図５】従来例によるスイッチ操作部パネルの固定構造の断面図である。
【符号の説明】
１  スイッチ本体
２  スイッチシャフト
２ａ  平坦部
３  挿通孔
４  スイッチボックス
４ａ  突部
４ｂ  係止孔
５  スイッチツマミ
５ａ  平坦面
５ｂ  ボス部
５ｃ  フランジ
５ｄ  補助フランジ
５ｅ  ツマミ部
６  スイッチ操作パネル
６ａ  透孔
６ｂ  パネルフランジ
６ｃ  係合孔
６ｄ  係止爪
６ｅ  折返し
【図１】
2004178954.tif 000003
【図２】
2004178954.tif 000004
【図３】
2004178954.tif 000005
【図４】
2004178954.tif 000006
【図５】
2004178954.tif 000007